(57)【要約】【課題】光ファイバに接続された状態のままのパッケージをケージから引き抜いてしまうという誤操作を防ぐことのできるロック機構付きパッケージを提供する。【解決手段】ケージ２に挿抜自在に挿入されると共に締結解除可能にロックされるパッケージ本体３と、パッケージ本体３に複数並行に設けられ光ファイバコネクタを挿抜するためのパッケージコネクタ４と、パッケージ本体３に設けられパッケージ本体３とケージ２とのロックを解除するためのリリース機構５とを備えたロック機構付きパッケージ１において、パッケージコネクタ４間にリリース機構５を操作するための操作部９を設けたものである。【選択図】        図１２
2004302153.tif 000002
【特許請求の範囲】
【請求項１】
ケージに挿抜自在に挿入されると共に締結解除可能にロックされるパッケージ本体と、該パッケージ本体に複数並行に設けられ光ファイバコネクタを挿抜するためのパッケージコネクタと、上記パッケージ本体に設けられ上記パッケージ本体と上記ケージとのロックを解除するためのリリース機構とを備えたロック機構付きパッケージにおいて、上記パッケージコネクタ間に上記リリース機構を操作するための操作部を設けたことを特徴とするロック機構付きパッケージ。
【請求項２】
上記操作部は、上記パッケージコネクタ間に上記光ファイバコネクタの挿抜方向にスライド可能に設けられた請求項１記載のロック機構付きパッケージ。
【請求項３】
上記操作部は、上記パッケージコネクタ間を仕切る仕切部を形成する請求項１又は２記載のロック機構付きパッケージ。
【発明の詳細な説明】
【０００１】
【発明の属する技術分野】
本発明は、光送受信モジュールなどの光通信用パッケージに係り、ケージに対して交換可能に取り付けられる光通信用のロック機構付きパッケージに関するものである。
【０００２】
【従来の技術】
光通信用パッケージは、光ファイバと通信機器との間に介設され光ファイバから受信した光信号を電気信号に変換して通信機器側に伝えたり、通信機器からの電気信号を光信号に変換して光ファイバ側に伝えたりするものである。このパッケージは、内部の光学素子や電気素子に不具合が生じたときや、通信仕様（光波長や変調方式や通信速度など）を相手と整合させたいときなどに対応するため、光ファイバと通信機器とに対して着脱自在となっている。
【０００３】
図１５に示すように、パッケージ３０は、通信機器（図示せず）内の基板３１に設けられたケージ３２に挿抜自在に挿入されると共に締結解除可能にロックされるようになっている。ケージ３２は、一端（前端）を開放された前後に長い箱型に形成されており、前端からパッケージ３０を挿抜できるようになっている。ケージ３２は、内部に挿入されたパッケージ３０に引っ掛けるための爪（図示せず）を有し、パッケージ３０の抜き方向の移動を規制するようになっている。
【０００４】
また、パッケージ３０には、爪によるロックを解除するためのリリース機構３３が設けられている。リリース機構３３は、パッケージ本体３４に前後方向スライド自在に設けられたスライド部材３５からなる。スライド部材３５はパッケージ本体３４に設けられた多連コネクタ３８（ここでは２連）の下方で左右に延びる取っ手３７を有し、取っ手３７を前方へ引くことでロックを解除するようになっている。また、多連コネクタ３８を構成するそれぞれのパッケージコネクタ３６間は仕切部３９で仕切られており、パッケージコネクタ３６に挿抜される光ファイバコネクタ（図示せず）をガイドし、支持するようになっている。
【０００５】
【特許文献１】
米国特許第６４３９９１８Ｂ１号明細書
【０００６】
【発明が解決しようとする課題】
ところで、ケージ３２からパッケージ３０を取り外す作業は、通信機器の誤動作等を防ぐためにパッケージ３０から光ファイバを取り外したのち、ケージ３２からパッケージ３０を取り外すという手順で行う必要がある。
【０００７】
しかしながら、上述のパッケージ３０は光ファイバに接続された状態であっても取っ手３７を容易に引くことができ、ケージ３２からパッケージ３０を光ファイバに接続された状態のまま引き抜いてしまうという誤操作を防ぐことができなかった。
【０００８】
そこで、本発明の目的は、上記課題を解決し、光ファイバが接続された状態のままのパッケージをケージから引き抜いてしまうという誤操作を防ぐことのできるロック機構付きパッケージを提供することにある。
【０００９】
【課題を解決するための手段】
上記目的を達成するために本発明は、ケージに挿抜自在に挿入されると共に締結解除可能にロックされるパッケージ本体と、該パッケージ本体に複数並行に設けられ光ファイバコネクタを挿抜するためのパッケージコネクタと、上記パッケージ本体に設けられ上記パッケージ本体と上記ケージとのロックを解除するためのリリース機構とを備えたロック機構付きパッケージにおいて、上記パッケージコネクタ間に上記リリース機構を操作するための操作部を設けたものである。パッケージコネクタに装着された光ファイバコネクタ間に操作部を隠すことができ、光ファイバに接続された状態のままパッケージがケージから引き抜かれるのを防ぐことができる。
【００１０】
上記操作部は、上記パッケージコネクタ間に上記光ファイバコネクタの挿抜方向にスライド可能に設けられるとよい。
【００１１】
また、上記操作部は、上記パッケージコネクタ間を仕切る仕切部を形成してもよい。
【００１２】
【発明の実施の形態】
本発明の好適実施の形態を添付図面に基づいて詳述する。
【００１３】
図１、図２及び図３に示すように、ロック機構付きパッケージ１は、ケージ２内に挿抜自在に挿入されると共に締結解除可能にロックされるパッケージ本体３と、パッケージ本体３に複数並行に設けられ光ファイバコネクタ（図示せず）を着脱自在に接続するためのパッケージコネクタ４と、ケージ２とパッケージ本体３のロックを解除するためのリリース機構５とを備えて構成されている。
【００１４】
パッケージ本体３は、挿抜方向（前後方向）に長い略直方体状に形成されており、両側にケージ２の爪６を受け入れて掛けるための窪み７を有する。
【００１５】
パッケージコネクタ４は、パッケージ本体３の抜き方向の端（前端）に２つ機幅方向に並べて設けられている。パッケージコネクタ４は、それぞれ前方から光ファイバコネクタを挿入できるように並行に設けられている。
【００１６】
図２、図４及び図８に示すように、リリース機構５は、パッケージ本体３にスライド自在に設けられ所定位置にスライドすることでケージ２とパッケージ本体３のロックを解除するスライド部材８と、パッケージコネクタ４間に光ファイバコネクタの挿抜方向にスライド可能に設けられそれぞれのスライド部材８に係合してスライド部材８を所定位置までスライドさせる操作部９と、操作部９を前方へ突出させるジャンパ機構部１０とを備えて構成されている。
【００１７】
スライド部材８は、前後に延びる板材からなり、パッケージ本体３の両側にそれぞれ窪み７と交差するように挿抜方向スライド自在に設けられている。スライド部材８の後端には、それぞれ窪み７内に入っている爪６を窪み７の外に掻き出すためのテーパ１１が設けられており、窪み７の後側から前方へ移動して窪み７内に進入することで爪６を機幅方向外側へ掻き出すようになっている。また、スライド部材８の前端部には、操作部９に後述する連結ロッド１２を介して係合される係合穴１３が形成されている。係合穴１３は前後に長いスリット状に形成されており、機幅方向に延びる連結ロッド１２を前後スライド可能に挿通させるようになっている。
【００１８】
操作部９は、板状に形成されており、パッケージコネクタ４間に収まるように設けられている。また、操作部９は、パッケージ本体３内に収容されたときにパッケージコネクタ４間を仕切る仕切部を形成するようになっている。操作部９の前端には指先を掛けるための指掛け穴２１が形成されており、操作部９の後端には左右両側へ延びる連結ロッド１２が一体に設けられている。連結ロッド１２は、両端を係合穴１３内に挿通されており、操作部９を前方へ引かれることで係合穴１３の前端に当たってそれぞれのスライド部材８を前方へ引くようになっている。
【００１９】
ジャンパ機構部１０は、パッケージ本体３と操作部９との間に設けられ操作部９を前方へ弾発的に付勢するスプリング１４と、パッケージ本体３に設けられ操作部９の前方への移動を解除可能に規制する止め部１５と、操作部９に設けられ止め部１５に係脱可能に係合される可動掛け部１６とからなる。具体的には、止め部１５は、パッケージ本体３の上端を区画する天板１８から内方（下方）へ突出する突起からなる。可動掛け部１６は、操作部９の後部上端に前方へ延びつつ上方へ延びる突起を形成してなるものであり、上方から押すことで弾発的に下方へ押し曲げられるようになっている。そして可動掛け部１６は、操作部９が前方へスライドすることで止め部１５に当たって操作部９のスライドを規制すると共に、上から押し曲げられることで止め部１５の下を潜って通過できるようになっている。また、可動掛け部１６は、上端部に前方から後方へ向けて下がるように傾斜する傾斜面１７を有し、操作部９が後方へスライドするときには止め部１５に傾斜面１７を当てて止め部１５の下を潜り抜けることができるようになっている。
【００２０】
また、天板１８の止め部１５の後側には、可動掛け部１６をパッケージ１の外側から押し下げられるようにするための板バネ部１９が形成されている。板バネ部１９は、天板１８をコ字状に切り欠いてなる切欠部２０の内側に形成されている。
【００２１】
次に本実施の形態の作用を述べる。
【００２２】
ケージ２にパッケージ１を装着する場合、図５に示すように操作部９をパッケージ１内に収容するように後方へ押し込む。これにより、可動掛け部１６は図６に示すように傾斜面１７を止め部１５に当てる。操作部９を更に後方へ押すと、図７に示すように可動掛け部１６は傾斜面１７を止め部１５に押されて下方へ押し曲げられ、止め部１５の下を潜る。このとき、操作部９はスプリング１４をその弾発力に抗して押し縮める。そして、図８に示すように可動掛け部１６は止め部１５の下を潜り抜け、形状を元に戻して先端を止め部１５の高さに揃える。これにより操作部９は止め部１５に前方へのスライドを規制され、パッケージコネクタ４間に完全に収容される。
【００２３】
そして、図１２に示すようにケージ２にパッケージ１を後側から挿入することでケージ２の爪６がパッケージ本体３の窪み７内に入り、パッケージ１はケージ２にロックされる。この後、それぞれのパッケージコネクタ４内に光ファイバコネクタを挿入し、パッケージ１と光ファイバとを接続する。操作部９はパッケージ本体３内に収納されているため、パッケージコネクタ４に光ファイバコネクタを挿入するときに邪魔となることはない。
【００２４】
また、ケージ２からパッケージ１を取り外す場合、パッケージ１に接続された光ファイバコネクタを前方へ引き、パッケージ１から取り外す。このとき、操作部９はパッケージコネクタ４間に収納されており、操作部９に指を掛けることはできないので、光ファイバコネクタを取り外す前に操作部９を引いてしまうという誤操作を防ぐことができる。また仮に作業手順を間違えて板バネ部１９を押したとしても、操作部９は前方へ出るだけであって光ファイバコネクタ間から出ることはないため、操作部９に指を掛けることはできず、誤操作を防ぐことができる。
【００２５】
そして、光ファイバコネクタをパッケージ１から取り外したら、図９に示すように板バネ部１９を下方へ押す。板バネ部１９は下方へ屈曲されながら可動掛け部１６を押し下げる。可動掛け部１６の先端が止め部１５より低い位置に到達して止め部１５から外れると、図１０に示すように操作部９はスプリング１４の弾発力によって前方へ押し出され、連結ロッド１２が係合穴１３内を前方へスライドする。そして、連結ロッド１２が係合穴１３の前端に当たることで操作部９のスライドは止まる。
【００２６】
この後、操作部９に指を掛けて前方へ引くと、その力は連結ロッド１２を介してそれぞれのスライド部材８に伝わり、図１１に示すようにスライド部材８を前方へスライドさせる。これにより、ケージ２の爪６はスライド部材８のテーパ１１によって窪み７内から掻き出され、ケージ２とパッケージ１とのロックは解除される。
【００２７】
このように、パッケージコネクタ４間に操作部９を設けたため、操作部９を光ファイバコネクタ間に隠すことができ、光ファイバに接続された状態のままのパッケージ１をケージ２から引き抜いてしまうという誤操作を防ぐことができる。
【００２８】
そして、操作部９を、パッケージコネクタ４間に前後スライド可能に設けたため、操作部９を簡単な構造で容易にパッケージコネクタ４間に収めることができる。
【００２９】
また、操作部９は、パッケージコネクタ４間を仕切る仕切部を形成するものとしたため、パッケージ本体３内に特に操作部用のスペースを設ける必要がなく、パッケージ１をシンプルにできる。
【００３０】
そして、パッケージ本体３にスライド自在に設けられ所定位置にスライドすることでケージ２とパッケージ本体３のロックを解除するスライド部材８と、パッケージコネクタ４間に光ファイバコネクタの挿抜方向にスライド可能に設けられスライド部材８に係合してスライド部材８を所定位置までスライドさせる操作部９とを備えてリリース機構５を構成したため、操作部９を前方へ引くだけでロックの解除とパッケージ１の引き抜きとを一括して行うことができ、パッケージ１のリリース作業を簡単なものにできる。
【００３１】
なお、パッケージ本体３に、２個のパッケージコネクタ４を設けるものとしたが、パッケージコネクタ４は２個以上の複数であってもよい。この場合、操作部９はいずれのパッケージコネクタ４間に設けてもよい。
【００３２】
そして、操作部９は、光ファイバコネクタに係合する凹凸（図示せず）を有するものとし、光ファイバコネクタに前方へのスライドを規制されるようにしてもよい。
【００３３】
また、操作部９は、パッケージコネクタ４間を仕切る仕切部を形成するものとしたが、これに限るものではなく、パッケージコネクタ４間にあればよい。例えば図１３に示すように、パッケージ本体４０に設けられた一対の仕切部４１、４１間に操作部４２を挿抜方向スライド自在に設けてもよい。そして図示するように、左右に離間して配置される仕切部４１、４１の間に操作部４２を配置してもよく、図１４に示すように、上下に離間して配置される仕切部４３、４３の間に操作部４４を配置してもよい。
【００３４】
【発明の効果】
以上要するに本発明によれば、次のような優れた効果を奏する。
（１）光ファイバに接続された状態のままのパッケージをケージから引き抜いてしまうという誤操作を防ぐことができる。
【図面の簡単な説明】
【図１】本発明の好適実施の形態を示すケージからリリースされるロック機構付きパッケージの斜視図である。
【図２】ロック機構付きパッケージの斜視図である。
【図３】図２の平面図である。
【図４】図２の平面断面図である。
【図５】操作部を前方へスライドさせたロック機構付きパッケージの側断面図である。
【図６】操作部を後方へスライドさせたロック機構付きパッケージの側断面図である。
【図７】操作部を後方へスライドさせたロック機構付きパッケージの側断面図である。
【図８】操作部をパッケージ本体内に収容したロック機構付きパッケージの側断面図である。
【図９】板バネ部を押下したロック機構付きパッケージの側断面図である。
【図１０】操作部を前方へスライドさせたロック機構付きパッケージの側断面図である。
【図１１】操作部を前方へスライドさせたロック機構付きパッケージの側断面図である。
【図１２】ケージにロックされたロック機構付きパッケージの斜視図である。
【図１３】他の実施の形態を示すロック機構付きパッケージの要部拡大斜視図である。
【図１４】他の実施の形態を示すロック機構付きパッケージの要部拡大斜視図である。
【図１５】従来のロック機構付きパッケージの要部斜視図である。
【符号の説明】
１  ロック機構付きパッケージ
２  ケージ
３  パッケージ本体
４  パッケージコネクタ
５  リリース機構
９  操作部
【図１】
2004302153.tif 000003
【図２】
2004302153.tif 000004
【図３】
2004302153.tif 000005
【図４】
2004302153.tif 000006
【図５】
2004302153.tif 000007
【図６】
2004302153.tif 000008
【図７】
2004302153.tif 000009
【図８】
2004302153.tif 000010
【図９】
2004302153.tif 000011
【図１０】
2004302153.tif 000012
【図１１】
2004302153.tif 000013
【図１２】
2004302153.tif 000014
【図１３】
2004302153.tif 000015
【図１４】
2004302153.tif 000016
【図１５】
2004302153.tif 000017